(57)【要約】【課題】従来型のパーティー用リボンではなく、名札の裏面側に貼着することで来賓用名札を容易に制作でき、名刺サイズの様々なパーティー用名札に容易に貼着可能であり、容易に制作できることにより様々な色の装飾部材とすることができ、非常に安価でスマートなタイプのパーティー等に使用される名札に取り付けうる名札用装飾部材を提供すること。【解決手段】所定の長さの細幅リボン材を中央部において反転させて重複部分を形成してＶ字状に折り、上記重複部分を固定すると共に、上記重複部分には名札に固定しうる貼着部を設けたことを特徴とする。【選択図】  図２
0003136016.tif 000002
【実用新案登録請求の範囲】
【請求項１】
所定の長さの細幅リボン材を中央部において反転させて重複部分を形成してＶ字状に折り、上記重複部分を固定すると共に、上記重複部分には名札に固定しうる貼着部を設けたことを特徴とする名札用装飾部材。
【請求項２】
上記貼着部は両面テープにより着脱可能に形成され、パーティーの際に使用される名札の裏面側に貼着されて使用されるように形成されていることを特徴とする請求項１記載の名札用装飾部材。
【考案の詳細な説明】
【技術分野】
【０００１】
本考案は、名札用装飾部材に係り、特にパーティーや集会の際に使用される名札に取り付けうる名札用装飾部材に関する。
【背景技術】
【０００２】
従来のパーティーの際に使用されるパーティー用リボンは、例えば、図４に示すように、放射状に配設された花弁状の飾り部材３１の下方に垂下された幅広の飾り片３２に肩書きや氏名等を筆を用いて墨で手書き記入することにより用いられている。
このような場合に、氏名入りのパーティー用リボンを準備するためには、制作業者等に氏名等の記入を依頼しなければならず煩雑である。
【０００３】
また、パソコン及びプリンタが一般的に普及している昨今において、パーティーや集会等においては、パソコン及びプリンタを用いて氏名等を記入した安価な名刺サイズの名札が用いられている。
そして、このような場合であっても、来賓用のパーティー用リボンにはバラなどの花弁状の飾り部材が用いられ、名札に取り付けることで用いられている。
【０００４】
一方、このような花弁状の飾り部材の付されたパーティー用リボンではなく、これに変わる新しくスマートなタイプのパーティー用リボンを求める要請が存する。
【考案の開示】
【考案が解決しようとする課題】
【０００５】
本考案はこのような課題を解決するためになされたものであって、上記のような従来型のパーティー用リボンではなく、名札の裏面側に貼着することで来賓用名札を容易に制作でき、名刺サイズの様々なパーティー用名札に容易に貼着可能であり、容易に制作できることにより様々な色の装飾部材とすることができ、非常に安価でスマートなタイプのパーティー等に使用される名札に取り付けうる名札用装飾部材を提供することにある。
【課題を解決するための手段】
【０００６】
上記課題を解決するために、請求項１記載の考案にあっては、所定の長さの細幅リボン材を中央部において反転させて重複部分を形成してＶ字状に折り、上記重複部分を固定すると共に、上記重複部分には名札に固定しうる貼着部を設けたことを特徴とする
従って、上記重複部分に設けられた貼着部を名札に固定することにより、来賓用名札を容易に制作することができる。
【０００７】
請求項２記載の考案にあっては、上記貼着部は両面テープにより着脱可能に形成され、パーティーの際に使用される名札の裏面側に貼着されて使用されるように形成されていることを特徴とする。
従って、貼着部は両面テープにより着脱可能に形成されているので、名札用装飾部材を容易に交換できる。また、パーティーの際に使用される名札の裏面側に貼着されて使用されるように形成されているので貼着部分は視認することはできない。
【考案の効果】
【０００８】
請求項１記載の考案にあっては、上記重複部における貼着部を名札に固定することにより、来賓用名札を容易に制作することができるので、名札の裏面側に貼着することで来賓用名札を容易に制作でき、名刺サイズの様々なパーティー用名札に容易に貼着可能であり、容易に制作できることにより様々な色の装飾部材とすることができ、構成が簡易であるので非常に安価でスマートなタイプのパーティー等に使用される名札用装飾部材を提供することができる。
【０００９】
請求項２記載の考案にあっては、貼着部は両面テープにより着脱可能に形成され、名札用装飾部材を容易に交換できるので、例えば誤って取り付けてしまった場合においても容易に交換することができる。また、パーティーの際に使用される名札の裏面側に貼着されて使用されるように形成されており貼着部分は視認することはできないので、スマートなタイプのパーティー等に使用される名札用装飾部材を提供することができる。
【考案を実施するための最良の形態】
【００１０】
以下、図面を用いて本考案の実施の形態について説明する。
図１（ａ）及び同図（ｂ）に示すような本実施の形態に係る名札用装飾部材１０は、図３に示すように、所定の長さの細幅リボン材１１を中央部１２において反転させて、図１（ａ）及び同図（ｂ）に示すように、重複部分１３を形成してＶ字状に折り、上記重複部分１３を固定すると共に、同図（ｂ）に示すように、上記重複部分１３には名札に固定しうる貼着部１４を設けている。
また、上記貼着部１４は、両面テープ１７により着脱可能に形成され、図２（ａ）及び同図（ｂ）に示すように、パーティーの際に使用される名札２０の裏面側に貼着されて使用されるように形成されている。
【実施例】
【００１１】
以下に、本実施例について詳細を説明する。
図３に示すように、名札用装飾部材１０は、所定の長さの平行四辺形状の細幅リボン材１１の中央部１２に位置する折り曲げ線１６に沿って内方に折り曲げれられることにより反転され、図１に示すように、重複部分１３を形成してＶ字状に折り曲げられている。そして、図１（ａ）に示すように、ステープラーの針１５により、重複部分１３は固定されている。
また、図１（ｂ）に示すように、名札の裏面側に貼着されて使用されるように形成されている貼着部１４は、剥離可能な保護紙１８で被覆された両面テープ１７により形成されている。
従って、簡易な構成であるので、容易に制作でき、非常に安価でスマートなタイプのパーティー等に使用される名札用装飾部材１０となる。
【００１２】
名札用装飾部材１０を名札に取り付ける場合には、図１（ｂ）に示す両面テープ１７を被覆している保護紙１８を剥がし、図２（ａ）に示すように、名札２０の裏面側の下方の任意の位置に貼り付ける。
そして、図２（ｂ）に示すように、名札２０を表面側から見ると、名札用装飾部材１０が取り付けられたスマートなタイプのパーティー等に使用される来賓用名札２０となる。
そして、来賓用名札２０は安全ピン２１により衣服に取り付けられる。
【００１３】
このように名札用装飾部材１０を用いて名札の裏面側に貼着することで来賓用名札を容易に制作でき、名刺サイズの様々なパーティー用名札に容易に貼着可能である。
また、名札用装飾部材１０は、容易に制作できることから様々な色の装飾部材１０とすることができ、名札用装飾部材１０を使用して非常に安価でスマートなタイプの来賓用名札を制作することができる。
【００１４】
また、本実施の形態においては記載されていないが、他の実施の形態としては、名札用装飾部材１０が取り付けられる名札は特に限定するものではなく、例えば、薄型ケースに収納されているタイプの名札や、名札の衣服への取り付け手段として、安全ピンによるものではなく、他の取り付け手段とする名札にも適用することができる。
【産業上の利用可能性】
【００１５】
本考案は、パーティー等に使用される来賓用の名札用装飾部材に適用することができる。
【図面の簡単な説明】
【００１６】
【図１】（ａ）及び（ｂ）は、本考案に係る名札用装飾部材の一実施の形態を示す平面図である。
【図２】（ａ）及び（ｂ）は、本考案に係る名札用装飾部材を名札に取り付けた場合における一実施の形態を示す平面図である。
【図３】本考案に係る名札用装飾部材の展開図である。
【図４】従来のパーティー用リボンの形態を示す平面図である。
【符号の説明】
【００１７】
１０  名札用装飾部材  
１１  細幅リボン材  
１２  中央部  
１３  重複部分  
１４  貼着部
１５  固定部，針  
１６  折り曲げ線
１７  両面テープ
１８  保護紙
２０  名札
２１  安全ピン
３０  パーティー用リボン
３１  飾り部材
３２  飾り片
【図１】
0003136016.tif 000003
【図２】
0003136016.tif 000004
【図３】
0003136016.tif 000005
【図４】
0003136016.tif 000006